(57)【要約】  本発明は、ハウジング（１）を有するドアクローザ、又はこれに類するものであって、この場合にハウジング（１）にカバー（１３）が取付け可能になっており、ハウジング（１）のそれぞれの端面がエンドキャップ（１６）により閉じられており、これらのエンドキャップ（１６）が、外側方向に向いた端面を有している形式のものに関する。視覚的な観点から見ても魅力的な印象を残す新しいドアクローザを形成するためには、本発明によれば、カバー（１３）が、端面の平面にまで延びている。
2007528953.tif 000002
【特許請求の範囲】
【請求項１】
ドアストッパ、又はこれに類するものであって、ハウジング（１）が設けられており、該ハウジング（１）にカバー（１３）が取付け可能になっており、ハウジング（１）のそれぞれの端面がエンドキャップ（１６）により閉じられており、該エンドキャップ（１６）が、外側方向に向いた端面を有している形式のものにおいて、カバー（１３）が、横断面図で見て、開かれた端面を有するＵ字形に形成されており、端面の平面まで延びており、ハウジング（１）が、横断面図で見てＬ字形の組付け山形材（６）を有しており、該組付け山形材（６）の垂直方向の脚部（６ａ）が、ドア、ドアフレーム、壁又はこれに類するものに組付け山形材（６）を固定するために働き、かつ組付け山形材（６）の水平方向の脚部（６ｂ）にドアクローザ機構が取付け可能であることを特徴とする、ドアクローザ。
【請求項２】
カバー（１３）が、形状接続的な係止結合部（１４，１５）を介して組付け山形材（６）で保持されている、請求項１記載のドアクローザ。
【請求項３】
係止結合部が、Ｕ字形のカバー（６）の自由な終端部で内側方向に突出した２つの突起（１４）と、該突起（１４）と協働する、外側方向に突出した、カバー（６）の垂直方向の脚部（６ａ）の領域内に位置する突起（１５）とにより形成されている、請求項１又は２記載のドアクローザ。
【請求項４】
カバー（６）が、押出成形異形材の形で形成されている、請求項１から３までのいずれか１項記載のドアクローザ。
【請求項５】
カバー（６）とエンドキャップ（１６）との間に、ハウジング（１）の端面から見ることのできる影継ぎ目（１８）が形成されている、請求項１から４までのいずれか１項記載のドアクローザ。
【請求項６】
影継ぎ目（１８）が、エンドキャップ（１６）の３つの側に設けられたノッチ（後退部）により形成されている、請求項１から５までのいずれか１項記載のドアクローザ。
【請求項７】
エンドキャップ（１６）が、組付け山形材（６）の垂直方向の脚部（６ａ）を継ぎ目なしにカバーしている、請求項１から６までのいずれか１項記載のドアクローザ。
【請求項８】
エンドキャップ（１６）が、組付け山形材（６）に取り付けられた固定エレメント（１２）に被せ嵌め可能である、請求項１から７までのいずれか１項記載のドアクローザ。
【請求項９】
固定エレメント（１２）が、山形異形材の形で形成されており、該山形異形材の一方の脚部が、組付け山形材（６）の水平方向の脚部（６ｂ）に結合可能であり、かつ山形異形材の他方の脚部が、ハウジング（１）の端面の前に位置している、請求項１から８までのいずれか１項記載のドアクローザ。
【請求項１０】
ハウジング（１）の端面の前に位置する、固定エレメント（１２）の脚部が、環状の溝（１２ｂ）を有する基本的に円形の固定ディスク（１２ａ）を有している、請求項１から９までのいずれか１項記載のドアクローザ。
【請求項１１】
エンドキャップ（１６）に、内側の壁（１６ａ）が設けられており、該壁（１６ａ）が、一方側で開かれた長孔（１６ｂ）を有している、請求項１から１０までのいずれか１項記載のドアクローザ。
【請求項１２】
一方側で開かれた前記長孔（１６ｂ）が、エンドキャップ（１６）が被せ嵌められた状態で、縁部により固定ディスク（１２）の溝（１２ｂ）内へ係合する、請求項１から１１までのいずれか１項記載のドアクローザ。
【請求項１３】
長孔（１６ｂ）の側縁部にそれぞれ１つの突起（１６ｃ）が設けられており、該突起（１６ｃ）が、被せ嵌められた状態で、固定ディスク（１２ａ）に係止する、請求項１から１２までのいずれか１項記載のドアクローザ。
【請求項１４】
エンドキャップ（１６）の端面に、有利には止まり孔の形の、孔パターン（１７）が設けられている、請求項１から１３までのいずれか１項記載のドアクローザ。
【請求項１５】
ハウジング（１）が、本来のドアクローザ機構よりも長くなっており、これにより、ハウジング（１）内に、例えば駆動装置を収容するための、もう１つの自由スペースが残される、請求項１から１４までのいずれか１項記載のドアクローザ。
【請求項１６】
ハウジング（１）が、約５／４の高さ／奥行き比率を有している、請求項１から１５までのいずれか１項記載のドアクローザ。
【請求項１７】
ハウジング（１）が、約４９ｍｍの高さであり、かつ約３７ｍｍの奥行きである、請求項１から１６までのいずれか１項記載のドアクローザ。
【請求項１８】
ハウジング（１）が、ドアクローザに結合されたドアの幅全体にわたって延びている、請求項１から１７までのいずれか１項記載のドアクローザ。
【請求項１９】
ドアクローザと協働するガイドレール（５）が設けられており、該ガイドレール（５）が、ハウジング（１）と等しい長さを有している、請求項１から１８までのいずれか１項記載のドアクローザ。
【請求項２０】
カバー（１３）が、種々異なった材料、特にアルミニウム、ステンレススチール又はプラスチックから成っている、請求項１から１９までのいずれか１項記載のドアクローザ。
【請求項２１】
カバー（１３）が、種々異なった形状を有している、請求項１から２０までのいずれか１項記載のドアクローザ。
【請求項２２】
カバー（１３）の表面が、種々異なったか形に形成されていてよい、請求項１から２１までのいずれか１項記載のドアクローザ。
【発明の詳細な説明】
【技術分野】
【０００１】
本発明は、ドアクローザ、又はこれに類するものであって、ハウジングが設けられており、この場合にハウジングにカバーが取付け可能になっており、ハウジングのそれぞれの端面がエンドキャップにより閉じられており、このエンドキャップが、外側方向に向いた端面を有している形式のものに関する。
【０００２】
このようなドアクローザは十分に公知である。本来のドアクローザ機構を収容するハウジングは、一般に視覚的にはあまり魅力的ではなく、顧客の個別の要望に基づいてのみ調整することもできる。特にハウジングが鋳造されたものには見えないことがしばしば好ましくないと感じられる。
【０００３】
そこで本発明の課題は、視覚的な観点でも魅力的な印象を残す新しいドアクローザを提供することである。
【０００４】
この課題は、ハウジングを有するドアクローザ又はこれに類するものにおいて、ハウジングにカバーが取付け可能であり、ハウジングのそれぞれの端面がエンドキャップにより閉じられており、このエンドキャップが外側方向に向いた端面を有している形式のものにおいて、カバーが端面の平面まで延びていることにより解決される。
【０００５】
この構成に基づき、全体的に閉じられているような印象を与える外観により、視覚的な観点からも特に魅力的であり、極めてスリムに見えるドアクローザが生じる。
【０００６】
有利な改良形が従属請求項から生じる。
【０００７】
有利な改良形によれば、ハウジングは横断面図で見てＬ字形の組付け山形材を有しており、この組付け山形材の垂直方向の脚部は、ドア、ドアフレーム、壁又はこれに類するものに組付け山形材を固定するために働き、かつ組付け山形材の水平方向の脚部には、ドアクローザ機構が取付け可能である。このような組付け山形材は、Ｌ字形状に基づき、ドア、ドアフレーム、壁又はこれに類するものに簡単かつ素早く取り付けることができるだけでなく、本来のドアクローザ機構のための良好な組付け及びメンテナンス可能性をも提供する。なぜならば、ドアクローザ機構はほとんど全ての側で露出しており、それ故、良好にアクセス可能だからである。
【０００８】
有利には、カバーが横断面図で見て、開かれた端面を有するＵ字形に形成されており、これにより、組付け山形材へのドアクローザの簡単かつ素早い取付けを行うことができる。
【０００９】
組付け山形材へのカバーの確実な固定も保証されているように、有利な改良形によればカバーは形状接続的な係止結合部を介して組付け山形材で保持されている。
【００１０】
有利には、この係止結合部は次のように形成されている。すなわち、この係止結合部はＵ字形のカバーの自由な端部で内側方向に突出した２つの突起と、これらの突起と協働する、カバーの垂直方向の脚部の領域内に位置する外側方向へ突出した突起とから成っている。
【００１１】
十分なねじり剛性を得るためには、有利には、前記カバーは押出成形異形材の形で形成されている。
【００１２】
有利な構成により、カバーとエンドキャップとの間に、ハウジングの端面から見ることのできる影継ぎ目が形成されている場合には、特に視覚的な効果が得られる。
【００１３】
この影継ぎ目は、有利にはエンドギャップの３つの側に設けられたノッチ（後退部）により形成されている。第４の側にはノッチは設けられておらず、これにより、組付けが終わった状態では、エンドキャップは組付け山形材の垂直方向の脚部を継ぎ目なしにカバーしている。
【００１４】
組付け山形材にエンドキャップを簡単に取り付けるためには、有利な改良形によれば、エンドキャップは、組付け山形材に取り付けられた固定エレメントに被嵌め可能である。
【００１５】
この固定エレメントは、有利には山形異形材の形で形成されており、この山形異形材の一方の脚部は、組付け山形材の水平方向の脚部と結合可能であり、かつ山形異形材の他方の脚部は、ハウジングの端面の前に位置している。組付け山形材の水平方向の脚部との結合は、有利にはねじ結合部を介して得られ、これにより、素早く、しかも解除可能な固定が可能となる。
【００１６】
有利には、ハウジングの端面の前に位置している方の脚部は、環状の溝を有する基本的に円形の固定ディスクを有している。円形状に基づき、エンドキャップの簡単な取付けが保証されている。なぜならば、円形状になっているために特別な整列作業が行われる必要がないからである。環状の溝により、エンドキャップの確実かつ位置の正確な支承を確保することができる。
【００１７】
エンドキャップを容易かつ簡単に固定ディスクに取り付けることができるように、有利な構成では、このエンドキャップには内側の壁が設けられており、この壁は一方側に開かれた長孔を有している。これにより、エンドキャップは固定ディスクに容易に被せ嵌めることができる。
【００１８】
固定ディスクでエンドキャップが確実に支承されることを保証するためには、有利な改良形では、被せ嵌められた状態で、一方側で開かれた長孔の縁部が固定ディスクの溝内へ係合する。これにより、エンドキャップは確実かつ正確な位置で、固定ディスクで保持されている。
【００１９】
有利には前記長孔の側縁部にそれぞれ１つの突起が設けられており、この突起が、被せ嵌められた状態で固定ディスクと係止する場合には、確実な支承がさらに改善される。
【００２０】
視覚的な理由から、エンドキャップの端面には、有利には止まり孔の形の孔パターンが設けられていてよい。
【００２１】
有利な構成では、ハウジングは本来のドアクローザ機構よりも長くなっており、これにより、ハウジング内には、例えば、駆動装置を収容するための、自由スペースがさらに残されている。さらにドアクローザのハウジングが、約５／４の高さ／奥行き比率を有している場合には、ドアクローザ全体を視覚的に魅力的に形成することができる。
【００２２】
有利な改良形では、ハウジングは約４９ｍｍの高さ及び約３７ｍｍの奥行きを有している。
【００２３】
ハウジングがドアの幅全体にわたって延びており、かつ／又はドアクローザと協働するガイドレールがドアクローザのハウジングと等しい長さを有している場合には、さらに特に魅力的な視覚的な印象を得ることができる。
【００２４】
本発明によるドアクローザでは、ハウジングは、ドア又はこれに類するものに固定されており、かつガイドレールは、対応配置されたドアフレーム又はこれに類するものに固定されていてよい。択一的な構成では、ガイドレールがドア又はこれに類するものに固定されており、かつハウジングが、対応配置されたドアフレーム又はこれに類するものに固定されていてもよい。
【００２５】
本発明のさらなる詳細、特徴及び利点が、図面に基づく以下の有利な実施例の説明から明らかである。
【００２６】
図面にはここで関連する部分のみが示されている。ほかの全ての構成エレメントはより良好に見ることができるように省略されている。
【００２７】
ドアクローザがハウジング１を有している。このハウジング１内には、本来のドアクローザ機構（図示していない）が格納されている。このハウジング１からは、公知の形式で駆動軸２が突出しており、この駆動軸２にはロッド３が固定されている。このロッド３は別の端部にスライド部材４（図１１参照）を有しており、このスライド部材４はスライドレール５内で案内されている。
【００２８】
前記ハウジング１はＬ字形の組付け山形材６を有している。この組付け山形材６の垂直方向の脚部６ａには、ドア、ドアフレーム、壁又はこれに類するものに組付け山形材６を固定するための孔７が設けられている。組付け山形材６の水平方向の脚部６ｂには、本来のドアクローザ機構のための固定孔８と、駆動軸２のための貫通開口９と、ドアクローザ機構内に提供された弁のためのアクセス開口１０と、組付け山形材６の端面に取付け可能な固定エレメント１２のための保持孔１１とが設けられている。固定孔８、貫通開口９及びアクセス開口１０は、組付け山形材６に二重に設けられており、これにより、右閉鎖式及び左閉鎖式のドアクローザのために同じ組付け山形材６を使用することができる。
【００２９】
さらにドアクローザのハウジング１はＵ字形のカバー１３を有している。このカバー１３は端面で開かれた押出成形異形材の形で形成されている。被せ嵌められたカバー１３を有する組付け山形材６の横断面図が図４に示されている。組付け山形材６でカバー１３を係止するためには、形状接続的な(formschluessig)係止結合部が設けられている。この係止結合部は図５に詳細に示されている。
【００３０】
図４及び図５から判るように、この係止結合部は、Ｕ字形のカバー１３の自由な端部で内側方向へ突出した突起１４から成っており、これらの突起１４は、カバー６の垂直方向の脚部６ａの領域内に位置する外側方向へ突出した突起１５の後方に係合することができる。
【００３１】
ハウジング１の端面はエンドキャップ１６により閉じられている。これらのエンドキャップ１６は、カバー６の水平方向の脚部６ｂに取り付けられた固定エレメント１２に被せ嵌めることができる。このためには、この固定エレメント１２は山形異形材の形で形成されている。固定エレメント１２の一方の脚部が組付け山形材６の水平方向の脚部６ａに結合されている場合には、固定エレメント１２の他方の脚部はハウジング１の端面の前に位置している。ハウジング１の端面の前に位置するこの脚部は、環状の溝１２ｂを有する基本的に円形の固定ディスク１２ａを有している。さらにそれぞれのエンドキャップ１６には内側の壁１６ａが設けられている。この内側の壁１６ａは一方側で開かれた長孔１６ｂを有している。この長孔１６ｂにより、エンドキャップ１６は固定ディスク１２ａに被せ嵌めることができ、これにより、長孔１６ｂの縁部が固定ディスク１２ａの溝１２ｂ内へ係合する。エンドキャップ１６と固定エレメント１２との間の位置固定された係止が保証されているように、長孔１６ｂの側縁部にはそれぞれ１つの突起１６ｃが設けられており、この突起１６ｃは、被せ嵌められた状態で固定ディスク１２ａに後方から係合する。
【００３２】
さらにエンドキャップ１６の、外側へ向いた側には孔パターン１７が設けられている。この孔パターン１７は図示の実施例では対称的に配置された止まり孔から成っているが、しかしながら、別の形状又は構成を有していてもよい。
【００３３】
エンドキャップ１６は周の３つの側にノッチ（後退部）を有している。このノッチ（後退部）は、エンドキャップ１６とカバー１３との間に影のようになっていて見えない影継ぎ目（Ｓｃｈａｔｔｅｎｆｕｇｅ）１８を形成している。
【００３４】
被せ嵌められた状態では、カバー１３は組付け山形材６のみならずエンドキャップ１６をもカバーしており、これにより、特に図２に見ることができるように、エンドキャップ１６は正面図では見ることができない。なぜならば、カバー１３の開かれた終端面とエンドキャップ１６の端面とは１つの平面に位置しているからである。既に説明したように、３つの側に設けられた、エンドキャップ１６のノッチはエンドキャップ１６とカバー１３との間の影継ぎ目１８を形成している。エンドキャップ１６の第４の側にはノッチが設けられていないので、この側ではエンドキャップ１６は組付け山形材６の垂直方向の脚部６ａをカバーしており、それ故、この脚部６ａは見ることができない。
【００３５】
ハウジング１全体は比較的小さく形成されており、約５／４の高さ／奥行き比率を有している。特にこのハウジングは、約４９ｍｍの高さ及び約３７ｍｍの奥行きを有している。
【００３６】
スライドレール５はハウジング１と類似した構成を有している。このスライドレール５はＣ字形のガイドレール２０から成っており、このガイドレール２０内にはスライド部材４が案内されており、このガイドレール２０の端面は開かれている。この開かれた端面内には固定部材２１が挿入可能である。これらの固定部材２１により、ガイドレール２０をドア、ドアフレーム、壁又はこれに類するものに固定することができる。
【００３７】
それぞれの固定部材２１は、ガイドレール２０内へ押込み可能なショルダ２２と、固定孔を設けられた、ガイドレール２０を固定するための保持ブロック２３と、端壁２４とから成っている。この端壁２４は、エンドキャップ１６のように周の３つの側に、影継ぎ目２４ａを形成するためのノッチを設けられている。
【００３８】
ガイドレール２０は、組付け山形材６のように、端面で開放されたＵ字形のカバーエレメント２５によりカバー可能である。ガイドレール２０にカバーエレメント２５を固定するためには、Ｕ字形のカバーエレメント２５の自由な終端部の領域内に内側方向に突出した係止突起２５ａが設けられ得取り、この係止突起２５ａはガイドレール２０内に設けられた係止切欠き２６と協働する。
【００３９】
被せ嵌められた状態では、カバーエレメント２５はガイドレール２０を覆うだけでなく、固定部材２１をもカバーしており、これにより、特に図２から判るように、固定部材２１は正面図では見ることができない。なぜならば、カバーエレメント２５の開かれた終端面と固定部材２１の端壁２４とは１つの平面に位置しているからである。既に説明したように、端壁２４の３つの側に設けられたノッチは、固定部材２１とカバーエレメント２５との間の影継ぎ目２４ａを形成している。端壁２４の第４の側にはノッチが設けられていないので、この側では端壁２４はガイドレール２０をカバーしており、これにより、このガイドレール２０は見ることができない。
【００４０】
ハウジング１は、本来のドアクローザ機構よりも長く形成されていてよく、これにより、ハウジング１内には、例えば駆動装置のための、スペースがさらに提供されている。ハウジング１はドアの幅全体にわたって延びていてよい。対称性に基づき、ガイドレール５はハウジング１と同じ長さに形成されている。
【００４１】
用途に応じて、ハウジング１はドアに固定され、ガイドレール５はドアフレーム又は壁に固定されていてよい。又はガイドレール５がドアに取り付けられており、ハウジング１がドアフレーム又は壁に取り付けられていてよい。
【００４２】
ドアクローザのためのカバー１３及びガイドレール５のためのカバーエレメント２５の使用により、ドアで使用される取付け金具への全く個別の適合を行うことができる。カバー１３及びカバーエレメントは、種々異なった材料、特にアルミニウム、ステンレススチール又はプラスチックから成っていてよい。これらの材料は、個別の形状付与部と並んで種々異なった表面処理部を有していてよい。
【図面の簡単な説明】
【００４３】
【図１】本発明によるドアクローザの斜視図である。
【図２】図１に基づく本発明によるドアクローザの正面図である。
【図３】図１に基づく本発明によるドアクローザの端面を示す図である。
【図４】図１に基づくドアクローザのハウジングの断面図である。
【図５】図４による一部Ｘの詳細図である。
【図６】組付け山形材を後方から見た図である。
【図７】組付け山形材を上方から見た図である。
【図８】エンドキャップの斜視図である。
【図９】図８によるエンドキャップの端面を示す図である。
【図１０】図８によるエンドキャップの内部を示す図である。
【図１１】ガイドレールの平面図である。
【図１２】図１１によるガイドレールの端面を示す図である。
【図１３】固定部材の斜視図である。
【図１４】図１３による固定部材の平面図である。
【図１５】ガイドレールの横断面図である。
【図１６】図１５の一部Ｘの詳細図である。
【符号の説明】
【００４４】
１  ハウジング、  ２  駆動軸、  ３  ロッド、  ４  スライド部材、  ５  スライドレール、  ６  組付け山形材、  ６ａ  垂直方向の脚部、  ６ｂ  水平方向の脚部、  ７  孔、  ８  固定孔、  ９  貫通開口、  １０  アクセス開口、  １１  保持孔、  １２  固定エレメント、  １２ａ  固定ディスク、  １２ｂ  溝、  １３  カバー、  １４  突起、  １５  突起、  １６  エンドキャップ、  １６ａ  壁、  １６ｂ  長孔、  １６ｃ  突起、  １７  孔パターン、  １８  影継ぎ目、  ２０  ガイドレール、  ２１  固定部材、  ２２  ショルダ、  ２３  保持ブロック、  ２４  端壁、  ２４ａ  影継ぎ目、  ２５  カバーエレメント、  ２５ａ  係止突起、  ２６  係止切欠き
【図１】
2007528953.tif 000003
【図２】
2007528953.tif 000004
【図３】
2007528953.tif 000005
【図４】
2007528953.tif 000006
【図５】
2007528953.tif 000007
【図６】
2007528953.tif 000008
【図７】
2007528953.tif 000009
【図８】
2007528953.tif 000010
【図９】
2007528953.tif 000011
【図１０】
2007528953.tif 000012
【図１１】
2007528953.tif 000013
【図１２】
2007528953.tif 000014
【手続補正書】
【提出日】平成18年9月28日(2006.9.28)
【手続補正１】
【補正対象書類名】明細書
【補正対象項目名】００４３
【補正方法】変更
【補正の内容】
【００４３】
【図１】本発明によるドアクローザの斜視図である。
【図２】図１に基づく本発明によるドアクローザの正面図である。
【図３】図１に基づく本発明によるドアクローザの端面を示す図である。
【図４】図１に基づくドアクローザのハウジングの断面図である。
【図５】図４による一部Ｘの詳細図である。
【図６】組付け山形材を後方から見た図である。
【図７】組付け山形材を上方から見た図である。
【図８】エンドキャップの斜視図である。
【図９】図８によるエンドキャップの端面を示す図である。
【図１０】図８によるエンドキャップの内部を示す図である。
【図１１】ガイドレールの平面図である。
【図１２】図１１によるガイドレールの端面を示す図である。
【国際調査報告】
2007528953.tif 000015
2007528953.tif 000016
2007528953.tif 000017
2007528953.tif 000018
2007528953.tif 000019
2007528953.tif 000020